(57)【特許請求の範囲】
【請求項１】
基地局のアンテナの下傾角走査機能を起動して、前記アンテナの下傾角度を調整して走査し、且つ対応する下傾角度で基地局が受信したブロードバンド受信電力及びナローバンド受信電力の値を記録するステップ、及び
前記ブロードバンド受信電力及びナローバンド受信電力の値がアンテナの下傾角度に伴って変化する関係、及び基地局のダウンリンク送信チャネルを閉じた後に、前記ブロードバンド受信電力及びナローバンド受信電力の値が変化するか否かに基づき、干渉源を確定するステップを含み、
前記ブロードバンド受信電力及びナローバンド受信電力の値がアンテナの下傾角度に伴って変化する関係、及び基地局のダウンリンク送信チャネルを閉じた後に、前記ブロードバンド受信電力及びナローバンド受信電力の値が変化するか否かに基づき、干渉源を確定することは、
前記ブロードバンド受信電力及びナローバンド受信電力の値がアンテナの下傾角度の変化に伴って変化するか否かを判断し、もし前記ブロードバンド受信電力及びナローバンド受信電力の値がアンテナの下傾角度に伴って変化しなく、且つ基地局のダウンリンク送信チャネルを閉じた後に、前記ブロードバンド受信電力及びナローバンド受信電力がいずれも減少し、且つ干渉信号が消失すると、干渉が基地局内部からのものであることを確定し、もし前記ブロードバンド受信電力及びナローバンド受信電力の値がアンテナの下傾角度に伴って変化し、且つ基地局のダウンリンク送信チャネルを閉じた後に、前記ブロードバンド受信電力及びナローバンド受信電力がいずれも変化しないと、干渉が基地局外部からのものであることを確定し、干渉が基地局外部からのものであることを確定した後に、前記ブロードバンド受信電力及びナローバンド受信電力の値がアンテナの下傾角度に伴って変化することを判断し、且つ基地局のダウンリンク送信チャネルを閉じた後に、前記ブロードバンド受信電力及びナローバンド受信電力がいずれも変化しない際に、基地局のダウンリンク送信チャネルを閉じる際に、干渉信号が消失するか否かを判断し、干渉信号が消失すると、前記干渉源がマイクロ信号ブースタであることを確定することを含む基地局干渉を位置決めする方法。
【請求項２】
前記基地局のアンテナの下傾角走査機能を起動する前に、前記方法は、
無線リソース制御プロトコルＲＲＣユーザのドロップ率が予め設定されたドロップ閾値を超えるか否かを判断し、超えると、基地局が受信したブロードバンド受信電力及びナローバンド受信電力の値を検出し、予め設定された条件のいずれかを満たす際に、前記基地局のアンテナの下傾角走査機能を起動し、前記予め設定された条件は、
前記ナローバンド受信電力の値が予め設定されたナローバンド受信電力閾値を超える条件、
前記ブロードバンド受信電力の値が予め設定されたブロードバンド受信電力閾値を超える条件であるステップを更に含む請求項１に記載の方法。
【請求項３】
前記干渉源が基地局内部にあることを確定した後に、前記方法は、
帯域幅全体内又は有用な信号帯域内の相互変調積の相互変調周波数を計算するステップ、
前記基地局のダウンリンク周波数を有用な信号帯域内のダウンリンク帯域の上、下境界の周波数として設定し、前記基地局の送信電力を前記基地局の定格電力の半分として設定し、前記基地局のアップリンク周波数を前記相互変調周波数として設定するステップ、
前記ブロードバンド受信電力の値が予め設定されたブロードバンド受信電力閾値を超え、及び/又は前記ナローバンド受信電力の値が予め設定されたナローバンド受信電力閾値を超えることを判断した際に、干渉源が基地局のアンテナ給電システムであることを確定するステップを更に含み、
前記帯域幅全体内又は有用な信号帯域内の相互変調積の相互変調周波数を計算することは、
相互変調周波数ｆ＝ｍ＊Ｆ１±ｎ＊Ｆ２、を計算し、前記ｆが有用な信号帯域内のアップリンク帯域或いは帯域幅全体の帯域内に入るか否かを判断し、前記有用な信号帯域内のアップリンク帯域或いは帯域幅全体の帯域内に入ると、対応する帯域に入る周波数を相互変調周波数として記録し、
Ｆ１、Ｆ２は前記有用な信号帯域内のダウンリンク帯域の上、下境界の周波数であり、ｍ、ｎの取る値は０〜７の整数であり、且つｍ及びｎは同時に０であることができないことを含む請求項１に記載の方法。
【請求項４】
記録した最大ブロードバンド受信電力の値及び最大ナローバンド受信電力の値に対応する下傾角度を前記基地局外部の干渉源の方位角とすることを含む請求項１に記載の方法。
【請求項５】
前記干渉源が基地局外部にあることを確定した後に、前記方法は、
基地局外部の干渉源の送信電力及び前記基地局が受信したブロードバンド受信電力の値を取得するステップ、
基地局外部の干渉の空間減衰ＲＬ＝前記基地局外部の干渉源の送信電力−前記基地局の受信したブロードバンド受信電力、を計算するステップ、及び
チャネル伝送モデル式に基づき、前記基地局外部の干渉源と前記基地局との間の距離を求めるステップを更に含む請求項１又は４に記載の方法。
【請求項６】
前記干渉源が基地局外部にあることを確定した後に、前記方法は、
前記アンテナの下傾角走査機能を閉じるステップ、
位相ロックループＰＬＬの設定周波数を有用な信号帯域内のアップリンク帯域内に設定し、前記基地局の帯域幅全体内で走査して、且つ前記基地局が受信したブロードバンド受信電力及びナローバンド受信電力の値を記録し、最大ブロードバンド受信電力の値及び最大ナローバンド受信電力の値に対応する周波数を前記基地局外部の干渉の周波数とするステップ、及び
前記基地局のアップリンク周波数を基地局外部の干渉の周波数として設定し、同時に再び前記アンテナの下傾角走査機能を起動し、前記アンテナの下傾角度を調整して走査し、且つ対応する下傾角度で基地局が受信したブロードバンド受信電力及びナローバンド受信電力の値を記録し、記録した最大ブロードバンド受信電力の値及び最大ナローバンド受信電力の値に対応する下傾角度を前記基地局外部の干渉源の方位角とするステップを更に含む請求項１に記載の方法。
【請求項７】
前記アンテナはスマートアンテナであり、前記最大ブロードバンド受信電力の値及び最大ナローバンド受信電力の値に対応する下傾角度を前記基地局外部の干渉源の方位角とした後に、
前記スマートアンテナの水平面カバレッジセクターの走査機能を起動し、−Ｙ度から＋Ｙ度まで走査し、且つ前記スマートアンテナの水平面の１度毎のブロードバンド受信電力及びナローバンド受信電力の値を記録し、前記スマートアンテナの水平面の１度毎の最大ブロードバンド受信電力の値及び最大ナローバンド受信電力の値に対応する角度に基づき、前記基地局外部の干渉源の位置を確定し、Ｙは前記基地局外部の干渉源の方位角であることを更に含む請求項４〜６のいずれか一項に記載の方法。
【請求項８】
基地局のアンテナの下傾角走査機能を起動して、前記アンテナの下傾角度を調整して走査し、且つ対応する下傾角度で基地局が受信したブロードバンド受信電力及びナローバンド受信電力の値を記録するように設定されるアンテナ制御モジュール、及び
前記ブロードバンド受信電力及びナローバンド受信電力の値がアンテナの下傾角度に伴って変化する関係、及び基地局のダウンリンク送信チャネルを閉じた後に、前記ブロードバンド受信電力及びナローバンド受信電力の値が変化するか否かに基づき、干渉源を確定するように設定される干渉判定モジュールを備え、
前記干渉判定モジュールは、
前記ブロードバンド受信電力及びナローバンド受信電力の値がアンテナの下傾角度に伴って変化するか否かを判断し、もし前記ブロードバンド受信電力及びナローバンド受信電力の値がアンテナの下傾角度に伴って変化しなく、且つ基地局のダウンリンク送信チャネルを閉じた後に、前記ブロードバンド受信電力及びナローバンド受信電力がいずれも減少し、且つ干渉信号が消失すると、干渉が基地局内部からのものであることを確定し、もし前記ブロードバンド受信電力及びナローバンド受信電力の値がアンテナの下傾角度に伴って変化し、且つ基地局のダウンリンク送信チャネルを閉じた後に、前記ブロードバンド受信電力及びナローバンド受信電力がいずれも変化しないと、干渉が基地局外部からのものであることを確定し、干渉が基地局外部からのものであることを確定した後に、前記ブロードバンド受信電力及びナローバンド受信電力の値がアンテナの下傾角度に伴って変化することを判断し、且つ基地局のダウンリンク送信チャネルを閉じた後に、前記ブロードバンド受信電力及びナローバンド受信電力がいずれも変化しない際に、基地局のダウンリンク送信チャネルを閉じる際に、干渉信号が消失するか否かを判断し、干渉信号が消失すると、前記干渉源がマイクロ信号ブースタであることを確定するとの方式で、前記ブロードバンド受信電力及びナローバンド受信電力の値がアンテナの下傾角度に伴って変化する関係、及び基地局のダウンリンク送信チャネルを閉じた後に、前記ブロードバンド受信電力及びナローバンド受信電力の値が変化するか否かに基づき、干渉源を確定するように設定される基地局干渉を位置決めするシステム。
【請求項９】
前記基地局のアンテナの下傾角走査機能を起動する前に、無線リソース制御プロトコルＲＲＣユーザのドロップ率が予め設定されたドロップ閾値を超えるか否かを判断し、超えると、基地局が受信したブロードバンド受信電力及びナローバンド受信電力の値を検出するように設定される受信電力検出モジュールを更に備え、
前記アンテナ制御モジュールは更に、
前記ナローバンド受信電力の値が予め設定されたナローバンド受信電力閾値を超える条件、
前記ブロードバンド受信電力の値が予め設定されたブロードバンド受信電力閾値を超える条件とのいずれかの予め設定された条件を満たす際に、前記基地局のアンテナの下傾角走査機能を起動するように設定される請求項８に記載のシステム。
【請求項１０】
前記干渉判定モジュールは更に、前記干渉源が基地局内部にあることを確定した後に、帯域幅全体内と有用な信号帯域内に入る相互変調積の相互変調周波数を計算し、
前記基地局のダウンリンク周波数を有用な信号帯域内のダウンリンク帯域の上、下境界の２つの周波数として設定し、前記基地局の送信電力の大きさを前記基地局定格電力の半分として設定し、前記基地局のアップリンク周波数を前記相互変調周波数として設定し、前記基地局が受信した前記ブロードバンド受信電力の値が予め設定されたブロードバンド受信電力閾値を超えるか否か、及び/又は前記ナローバンド受信電力の値が予め設定されたナローバンド受信電力閾値を超えるか否かを改めて判断し、超えると、干渉源が基地局のアンテナ給電システムであることを確定するように設定され、
前記干渉判定モジュールは更に、
周波数ｆ＝ｍ＊Ｆ１±ｎ＊Ｆ２、を計算し、ｆが有用な信号帯域内のアップリンク帯域或いは帯域幅全体の帯域内に入るか否かを判断し、前記有用な信号帯域内のアップリンク帯域或いは帯域幅全体の帯域内に入ると、対応する帯域に入る周波数を相互変調周波数として記録し、
Ｆ１〜Ｆ２は前記有用な信号帯域内のダウンリンク帯域の上、下境界の周波数であり、ｍ、ｎの取る値は０〜７の整数であり、且つｍ及びｎは同時に０であることができないとの方式で、帯域幅全体内と有用な信号帯域内に入る相互変調積の相互変調周波数を計算するように設定される請求項８に記載のシステム。
【請求項１１】
前記干渉判定モジュールに接続される干渉方位確定モジュールを更に備え、
前記干渉方位確定モジュールは、記録した最大ブロードバンド受信電力の値及び最大ナローバンド受信電力の値に対応する下傾角度を前記基地局外部の干渉源の方位角とするように設定され、
又は、
前記干渉方位確定モジュールは、基地局外部の干渉源の送信電力及び前記基地局が受信したブロードバンド受信電力の値を取得し、
外部固定干渉の空間減衰ＲＬ＝前記基地局外部の干渉源の送信電力−前記基地局が受信したブロードバンド受信電力、を計算し、
チャネル伝送モデル式に基づき、前記基地局外部の干渉源と前記基地局との間の距離を求めるように設定される請求項８に記載のシステム。
【請求項１２】
前記干渉判定モジュールに接続される干渉方位確定モジュールを更に備え、
前記干渉判定モジュールは更に、前記干渉源が前記基地局外部にあることを確定した後に、前記アンテナ制御モジュールに前記アンテナの下傾角走査機能を閉じる指令を送信するように設定され、
前記干渉方位確定モジュールは、位相ロックループＰＬＬの設定周波数を有用な信号帯域内のアップリンク帯域内に設定し、前記基地局の帯域幅全体内で走査して、且つ前記基地局が受信したブロードバンド受信電力及びナローバンド受信電力の値を記録し、最大ブロードバンド受信電力及び最大ナローバンド受信電力の値に対応する周波数を外部固定干渉の周波数とし、
前記基地局のアップリンク周波数を外部固定干渉の周波数として設定し、同時に再び前記アンテナ制御モジュールをトリガーして前記アンテナの下傾角走査機能を起動し、記録した最大ブロードバンド受信電力及び最大ナローバンド受信電力の値に対応する下傾角度を前記基地局外部の干渉源の方位角とするように設定され、
前記アンテナ制御モジュールは更に、前記干渉判定モジュールの指令を受信した後に前記アンテナの下傾角走査機能を閉じて、前記干渉方位確定モジュールのトリガーで再び基地局のアンテナの下傾角走査機能を起動して、前記アンテナの下傾角度を調整して走査し、且つ対応する下傾角度で基地局が受信したブロードバンド受信電力及びナローバンド受信電力の値を記録するように設定される請求項８に記載のシステム。
【請求項１３】
前記アンテナはスマートアンテナであり、前記干渉方位確定モジュールは更に、前記最大ブロードバンド受信電力及び最大ナローバンド受信電力の値に対応する下傾角度が外部固定干渉源の方位角であることを確定した後に、前記スマートアンテナの水平面カバレッジセクターの走査機能を起動して、−Ｙ度から＋Ｙ度まで走査し、且つ前記スマートアンテナの水平面の１度毎のブロードバンド受信電力及びナローバンド受信電力の値を記録し、前記スマートアンテナ水平面の１度毎の最大ブロードバンド受信電力及び最大ナローバンド受信電力の値に対応する角度に基づき、前記基地局外部の干渉源の位置を確定し、Ｙは前記基地局外部の干渉源の方位角であるように設定される請求項１１又は１２に記載のシステム。
【発明の詳細な説明】
【技術分野】
【０００１】
本発明は通信分野に関し、具体的に基地局干渉を位置決めする方法及びシステムに関する。
【背景技術】
【０００２】
従来、主流となる２Ｇ（Second Generation、第２世代）、３Ｇ（3rd- Generation、第３世代）及び４Ｇ（4th- Generation、第４世代）基地局はいずれも、ＢＢＵ（Base band Unit、ベースバンドユニット）＋ＲＲＵ（Radio Remote Unit、ラジオリモートユニット）＋電子同調可能なアンテナ、のアーキテクチャを採用し、電子同調可能なアンテナの下傾角度を調整することによってセルカバレッジ半径の調整を実現する。能動アンテナは、次世代の基地局形式の新しいアーキテクチャであり、３ＧＰＰ（3rd Generation Partnership Project）組織は、ＬＴＥ（Long Term Evolution、ロングタームエボリューション）Ｒｅｌｅａｓｅ １２において掘り下げた研究を行い、同時に、Ｒ１２バージョンを間もなく公表する。ＡＡＳ（Adaptive Antenna System、適応アンテナ給電システム）アンテナは、給電ネットワークの振幅及び位相を調整することによって、アンテナ傾角及びローブの幅を変えることができる。
【０００３】
図１は、従来のＬＴＥ移動通信システムの構造模式図であり、主に、コアネットワーク、アクセスネットワーク及び運営維持センター（即ち、ネットワーク管理）を備える。ネットワーク管理は運営維持センターからなり、アクセスネットワークは基地局（ＬＴＥの１つのノード）からなり、基地局はＢＢＵ（ベースバンドユニット）、ＲＲＵ（ラジオリモートユニット）及びアンテナ（放射サブアレイ）を含む。コアネットワークと基地局との間は、ＢＢＵのＳ１（コアネットワークとアクセスネットワークとの間のインターフェイス）インターフェイスによって接続される。ＢＢＵとＲＲＵとは、光ファイバによって接続される。コンベンショナルな基地局にとって、基地局は、ＡＩＳＧ（Antenna Interface Standards Group 、電子同調可能なアンテナ）ケーブルによってアンテナの下傾角度を制御し、ＡＡＳアンテナにとって、基地局は自身の給電ネットワークを変えることによって、アンテナ傾角及び波束の変更を実現する。
【０００４】
移動通信の高速発展に伴って、従来、既存ネットワークの２Ｇ、３Ｇ及び４Ｇ基地局は数千万個に達し、電磁環境が複雑である。様々な原因により、従来、基地局は常に外部干渉を受けて、正常に動作することができない。従来、国内でネットワーク計画等の原因によってある領域の信号のカバレッジが悪く、密かに架設したマイクロ信号ブースタ、例えば「携帯電話の伴侶」は、カバレッジを強化するが、このような機器は電信部門によって許可されてなく、既存ネットワーク基地局に深刻な干渉を発生し、基地局の障害を引き起こす。２Ｇ、３Ｇ及び４Ｇは、基地局が同一サイトにあり（base stations are co-site）、保護間隔（ガードインターバル）が小さいため、隣接チャネル干渉を引き起こす。風雨に曝されるにしたがって、アンテナ給電システムの接続が悪くなり、自分自身に対して深刻な干渉を引き起こす。情報セキュリテイの発展に伴って、偽基地局も大量に出現し、偽基地局は、人々の情報を盗聴するだけでなく、且つ既存ネットワークに大きな干渉をもたらし、既存ネットワーク性能が大幅に低下する。干渉のタイプ及び干渉源の発生原因を確定することができないため、干渉された基地局が干渉を解除し又は低下することができなく、正常に動作することができない。
【発明の概要】
【発明が解決しようとする課題】
【０００５】
本発明の実施例は、基地局干渉を位置決めする方法及びシステムを提供し、基地局干渉のタイプ及び干渉源の発生原因を確定することができ、それにより干渉源を迅速に位置決めし、干渉を低減又は解除し、既存ネットワーク性能を向上させる。
【課題を解決するための手段】
【０００６】
本発明の実施例は、基地局干渉を位置決めする方法を提供して、
基地局のアンテナの下傾角走査機能を起動して、前記アンテナの下傾角度を調整して走査し、且つ対応する下傾角度で基地局が受信したブロードバンド受信電力及びナローバンド受信電力の値を記録するステップと、
前記ブロードバンド受信電力及びナローバンド受信電力の値がアンテナの下傾角度に伴って変化する関係、及び基地局のダウンリンク送信チャネルを閉じた後に、前記ブロードバンド受信電力及びナローバンド受信電力の値が変化するか否かに基づき、干渉源を確定するステップと、を含む。
【０００７】
選択的に、
前記ブロードバンド受信電力及びナローバンド受信電力の値がアンテナの下傾角度に伴って変化する関係、及び基地局のダウンリンク送信チャネルを閉じた後に、前記ブロードバンド受信電力及びナローバンド受信電力の値が変化するか否かに基づき、干渉源を確定することは、
前記ブロードバンド受信電力及びナローバンド受信電力の値がアンテナの下傾角度の変化に伴って変化するか否かを判断し、もしアンテナの下傾角度に伴って変化しなく、且つ基地局のダウンリンク送信チャネルを閉じた後に、前記ブロードバンド受信電力及びナローバンド受信電力の値がいずれも減少し、且つ干渉信号が消失すると、干渉源が基地局内部にあることを確定し、もしアンテナの下傾角度に伴って変化し、且つ基地局のダウンリンク送信チャネルを閉じた後に、前記ブロードバンド受信電力及びナローバンド受信電力の値がいずれも変化しないと、干渉源が基地局外部にあることを確定することを含む。
【０００８】
選択的に、
前記基地局のアンテナの下傾角走査機能を起動する前に、前記方法は、
無線リソース制御プロトコルＲＲＣユーザのドロップ率が予め設定されたドロップ閾値を超えるか否かを判断し、超えると、基地局が受信したブロードバンド受信電力及びナローバンド受信電力の値を検出し、予め設定された条件のいずれかを満たす際に、前記基地局のアンテナの下傾角走査機能を起動し、前記予め設定された条件は、
前記ナローバンド受信電力の値が予め設定されたナローバンド受信電力閾値を超える条件、
前記ブロードバンド受信電力の値が予め設定されたブロードバンド受信電力閾値を超える条件であるステップを更に含む。
【０００９】
選択的に、
前記干渉源が基地局内部にあることを確定した後に、前記方法は、
帯域幅全体内又は有用な信号帯域内の相互変調積の相互変調周波数を計算するステップ、
前記基地局のダウンリンク周波数を有用な信号帯域内のダウンリンク帯域の上、下境界の周波数として設定し、前記基地局の送信電力を前記基地局の定格電力の半分として設定し、前記基地局のアップリンク周波数を前記相互変調周波数として設定するステップ、
前記ブロードバンド受信電力の値が予め設定されたブロードバンド受信電力閾値を超え、及び/又は前記ナローバンド受信電力の値が予め設定されたナローバンド受信電力閾値を超えることを判断した際に、干渉源が基地局のアンテナ給電システムであることを確定するステップ、を更に含む。
【００１０】
選択的に、
前記帯域幅全体内又は有用な信号帯域内の相互変調積の相互変調周波数を計算することは、
相互変調周波数ｆ＝ｍ＊Ｆ１±ｎ＊Ｆ２、を計算し、前記ｆが有用な信号帯域内のアップリンク帯域或いは帯域幅全体の帯域内に入るか否かを判断し、前記有用な信号帯域内のアップリンク帯域或いは帯域幅全体の帯域内に入ると、対応する帯域に入る周波数を相互変調周波数として記録すること、
Ｆ１、Ｆ２は前記有用な信号帯域内のダウンリンク帯域の上、下境界の周波数であり、ｍ、ｎの取る値は０〜７の整数であり、且つｍ及びｎは同時に０であることができないこと、を含む。
【００１１】
選択的に、
前記干渉源が基地局外部にあることを確定した後に、
前記ブロードバンド受信電力及びナローバンド受信電力の値がアンテナの下傾角度に伴って変化することを判断し、且つ基地局のダウンリンク送信チャネルを閉じた後に、前記ブロードバンド受信電力及びナローバンド受信電力の値がいずれも変化しない際に、基地局のダウンリンク送信チャネルを閉じる際に、干渉信号が消失するか否かを判断し、消失すると、前記基地局外部の干渉源はマイクロ信号ブースタであることを確定すること、及び
記録した最大ブロードバンド受信電力の値及び最大ナローバンド受信電力の値に対応する下傾角度を前記基地局外部の干渉源の方位角とすることを含む。
【００１２】
選択的に、
前記干渉源が基地局外部にあることを確定した後に、前記方法は、 
基地局外部の干渉源の送信電力及び前記基地局が受信したブロードバンド受信電力の値を取得するステップ、 
基地局外部の干渉の空間減衰ＲＬ＝前記基地局外部の干渉源の送信電力−前記基地局が受信したブロードバンド受信電力、を計算するステップ、及び
チャネル伝送モデル式に基づき、前記基地局外部の干渉源と前記基地局との間の距離を求めるステップを更に含む。
【００１３】
選択的に、
前記干渉源が基地局外部にあることを確定した後に、前記方法は、
前記アンテナの下傾角走査機能を閉じるステップ、
位相ロックループＰＬＬ（Phase Locked Loop：位相同期回路）の設定周波数を有用な信号帯域内のアップリンク帯域内に設定し、前記基地局の帯域幅全体内で走査して、且つ前記基地局が受信したブロードバンド受信電力及びナローバンド受信電力の値を記録し、最大ブロードバンド受信電力の値及び最大ナローバンド受信電力の値に対応する周波数を前記基地局外部の干渉の周波数とするステップ、及び
前記基地局のアップリンク周波数を基地局外部の干渉の周波数として設定し、同時に再び前記アンテナの下傾角走査機能を起動し、前記アンテナの下傾角度を調整して走査し、且つ対応する下傾角度で基地局が受信したブロードバンド受信電力及びナローバンド受信電力の値を記録し、記録した最大ブロードバンド受信電力の値及び最大ナローバンド受信電力の値に対応する下傾角度を前記基地局外部の干渉源の方位角とするステップを更に含む。
【００１４】
選択的に、
前記アンテナはスマートアンテナであり、前記最大ブロードバンド受信電力の値及び最大ナローバンド受信電力の値に対応する下傾角度を前記基地局外部の干渉源の方位角とした後に、
前記スマートアンテナの水平面カバレッジセクターの走査機能を起動し、−Ｙ度から＋Ｙ度まで走査し、且つ前記スマートアンテナの水平面の１度毎のブロードバンド受信電力及びナローバンド受信電力の値を記録し、前記スマートアンテナの水平面の１度毎の最大ブロードバンド受信電力の値及び最大ナローバンド受信電力の値に対応する角度に基づき、前記基地局外部の干渉源の位置を確定し、Ｙは前記基地局外部の干渉源の方位角であることを更に含む。
【００１５】
基地局干渉を位置決めするシステムであって、
基地局のアンテナの下傾角走査機能を起動して、前記アンテナの下傾角度を調整して走査し、且つ対応する下傾角度で基地局が受信したブロードバンド受信電力及びナローバンド受信電力の値を記録するように設定されるアンテナ制御モジュール、及び
前記ブロードバンド受信電力及びナローバンド受信電力の値がアンテナの下傾角度に伴って変化する関係、及び基地局のダウンリンク送信チャネルを閉じた後に、前記ブロードバンド受信電力及びナローバンド受信電力の値が変化するか否かに基づき、干渉源を確定するように設定される干渉判定モジュールを備える。
【００１６】
選択的に、
前記干渉判定モジュールは、以下のようにして、前記ブロードバンド受信電力及びナローバンド受信電力の値がアンテナの下傾角度に伴って変化する関係、及び基地局のダウンリンク送信チャネルを閉じた後に、前記ブロードバンド受信電力及びナローバンド受信電力の値が変化するか否かに基づき、干渉源を確定し、
前記ブロードバンド受信電力及びナローバンド受信電力の値がアンテナの下傾角度に伴って変化するか否かを判断し、もしアンテナの下傾角度に伴って変化しなく、且つ基地局のダウンリンク送信チャネルを閉じた後に、前記ブロードバンド受信電力及びナローバンド受信電力の値がいずれも減少し、且つ干渉信号が消失すると、干渉源が基地局内部にあることを確定し、もしアンテナの下傾角度に伴って変化し、且つ基地局のダウンリンク送信チャネルを閉じた後に、前記ブロードバンド受信電力及びナローバンド受信電力の値がいずれも変化しないと、干渉源が基地局外部にあることを確定するように設定される。
【００１７】
選択的に、該システムは、
前記基地局のアンテナの下傾角走査機能を起動する前に、無線リソース制御プロトコルＲＲＣユーザのドロップ率が予め設定されたドロップ閾値を超えるか否かを判断し、超えると、基地局が受信したブロードバンド受信電力及びナローバンド受信電力の値を検出するように設定される受信電力検出モジュールを更に備え、
前記アンテナ制御モジュールは更に、
前記ナローバンド受信電力の値が予め設定されたナローバンド受信電力閾値を超える条件と、
前記ブロードバンド受信電力の値が予め設定されたブロードバンド受信電力閾値を超える条件とのいずれかの予め設定された条件を満たす際に、前記基地局のアンテナの下傾角走査機能を起動するように設定される。
【００１８】
選択的に、
前記干渉判定モジュールは更に、前記干渉源が基地局内部にあることを確定した後に、帯域幅全体内と有用な信号帯域内に入る相互変調積の相互変調周波数を計算し、
前記基地局のダウンリンク周波数を有用な信号帯域内のダウンリンク帯域の上、下境界の２つの周波数として設定し、前記基地局の送信電力の大きさを前記基地局定格電力の半分として設定し、前記基地局のアップリンク周波数を前記相互変調周波数として設定し、
前記基地局が受信した前記ブロードバンド受信電力の値が予め設定されたブロードバンド受信電力閾値を超えるか否か、及び/又は前記ナローバンド受信電力の値が予め設定されたナローバンド受信電力閾値を超えるか否かを改めて判断し、超えると、干渉源が基地局のアンテナ給電システムであることを確定するように設定される。
【００１９】
選択的に、
前記干渉判定モジュールは更に、以下のようにして、帯域幅全体内と有用な信号帯域内に入る相互変調積の相互変調周波数を計算し、
周波数ｆ＝ｍ＊Ｆ１±n＊Ｆ２、を計算し、ｆが有用な信号帯域内のアップリンク帯域或いは帯域幅全体の帯域内に入るか否かを判断し、前記有用な信号帯域内のアップリンク帯域或いは帯域幅全体の帯域内に入ると、対応する帯域に入る周波数を相互変調周波数として記録し、
Ｆ１〜Ｆ２は前記有用な信号帯域内のダウンリンク帯域の上、下境界の周波数であり、ｍ、ｎの取る値は０〜７の整数であり、且つｍ及びｎは同時に０であることができないように設定される。
【００２０】
選択的に、
該システムは、前記干渉判定モジュールに接続される干渉方位確定モジュールを更に備え、
前記干渉判定モジュールは更に、干渉源が基地局外部にあることを確定した後に、前記ブロードバンド受信電力及びナローバンド受信電力の値がアンテナの下傾角度に伴って変化し、且つ基地局のダウンリンク送信チャネルを閉じた後に、前記ブロードバンド受信電力及びナローバンド受信電力の値がいずれも変化しないことを判断した際に、基地局のダウンリンク送信チャネルを閉じる際に、干渉信号が消失するか否かを判断し、消失すると、前記干渉源がマイクロ信号ブースタであることを確定するように設定され、
前記干渉方位確定モジュールは、記録した最大ブロードバンド受信電力の値及び最大ナローバンド受信電力の値に対応する下傾角度を前記基地局外部の干渉源の方位角とするように設定される。
【００２１】
選択的に、
該システムは、前記干渉判定モジュールに接続される干渉方位確定モジュールを更に備え、
前記干渉方位確定モジュールは、基地局外部の干渉源の送信電力及び前記基地局が受信したブロードバンド受信電力を取得し、 
外部固定干渉の空間減衰ＲＬ＝前記基地局外部の干渉源の送信電力−前記基地局が受信したブロードバンド受信電力、を計算し、
チャネル伝送モデル式に基づき、前記基地局外部の干渉源と前記基地局との間の距離を求めるように設定される。
【００２２】
選択的に、
該システムは、前記干渉判定モジュールに接続される干渉方位確定モジュールを更に備え、
前記干渉判定モジュールは更に、前記干渉源が前記基地局外部にあることを確定した後に、前記アンテナ制御モジュールに前記アンテナの下傾角走査機能を閉じる指令を送信するように設定され、
前記干渉方位確定モジュールは、位相ロックループＰＬＬ（Phase Locked Loop：位相同期回路）の設定周波数を有用な信号帯域内のアップリンク帯域内に設定し、前記基地局の帯域幅全体内で走査して、且つ前記基地局が受信したブロードバンド受信電力及びナローバンド受信電力の値を記録し、最大ブロードバンド受信電力の値及び最大ナローバンド受信電力の値に対応する周波数を前記外部固定干渉の周波数として、前記基地局のアップリンク周波数を外部固定干渉の周波数として設定し、同時に再び前記アンテナ制御モジュールをトリガーして前記アンテナの下傾角走査機能を起動し、記録した最大ブロードバンド受信電力の値及び最大ナローバンド受信電力の値に対応する下傾角度を前記基地局外部の干渉源の方位角とするように設定され、
前記アンテナ制御モジュールは更に、前記干渉判定モジュールの指令を受信した後に前記アンテナの下傾角走査機能を閉じて、前記干渉方位確定モジュールのトリガーで再び基地局のアンテナの下傾角走査機能を起動して、前記アンテナの下傾角度を調整して走査し、且つ対応する下傾角度で基地局が受信したブロードバンド受信電力及びナローバンド受信電力の値を記録するように設定される。
【００２３】
選択的に、
前記アンテナはスマートアンテナであり、前記干渉方位確定モジュールは更に、前記最大ブロードバンド受信電力の値及び最大ナローバンド受信電力の値に対応する下傾角度が前記基地局外部の固定干渉源の方位角であることを確定した後に、前記スマートアンテナの水平面カバレッジセクターの走査機能を起動して、−Ｙ度から＋Ｙ度まで走査し、且つ前記スマートアンテナの水平面の１度毎のブロードバンド受信電力及びナローバンド受信電力の値を記録し、前記スマートアンテナ水平面の１度毎の最大ブロードバンド受信電力の値及び最大ナローバンド受信電力の値に対応する角度に基づき、前記基地局外部の固定干渉源の位置を確定し、Ｙは前記基地局外部の固定干渉源の方位角であるように設定される。
【００２４】
本発明の実施例は、前記方法を実現するコンピュータプログラムを更に提供する。
本発明の実施例は、前記コンピュータプログラムを記憶するコンピュータ可読記憶媒体を更に提供する。
【発明の効果】
【００２５】
本発明の実施例による基地局干渉を位置決めする方法及びシステムは、従来の通信基地局が干渉されて基地局が正常に動作できない問題に対して、干渉のタイプ及び干渉源の発生原因を判断して、干渉源を迅速に位置決めし、干渉を低減又は解除して、既存ネットワーク性能を向上させることができ、それによりオペレータの利益を維持する。
【図面の簡単な説明】
【００２６】
【図１】図１は、ＬＴＥ移動通信システムを示す構造模式図である。
【図２】図２は、実施例における基地局干渉を位置決めする方法のフローチャートである。
【図３】図３は、実施例におけるマイクロ信号ブースタを位置決めするフローチャートである。
【図４】図４は、実施例における外部固定干渉を位置決めするフローチャートである。
【図５】図５は、実施例における基地局内部干渉を位置決めするフローチャートである。
【図６】図６は、実施例における基地局干渉を位置決めするシステムの構造図である。
【発明を実施するための形態】
【００２７】
以下、図面を参照しながら、本発明の実施例について詳細に説明する。なお、矛盾が生じない場合には、本出願における実施例及び実施例における特徴は互いに組み合わせることができる。
実施例
【００２８】
図２に示すように、本実施例は、基地局干渉を位置決めする方法を提供し、以下に述べるステップを含む。
Ｓ１０１： 基地局のアンテナの下傾角走査機能を起動して、前記アンテナの下傾角度を調整して走査し、且つ対応する下傾角度で基地局が受信したブロードバンド受信電力及びナローバンド受信電力の値を記録する。
アンテナの下傾角度を調整して走査し、例えば０度からＸ度まで走査し、Ｘ度は前記アンテナの最大調整角度であり、本実施例において、ブロードバンド受信電力は中間周波数帯域（フィルタ中間周波数帯域）全体内の受信電力を指し、ナローバンド受信電力はネットワーク管理のバックグラウンド設定の帯域幅内の受信電力を指す。
【００２９】
ステップＳ１０１において、基地局のアンテナの下傾角走査機能を起動する前に、
無線リソース制御プロトコル（Radio Resource Control、ＲＲＣと略称する）ユーザのドロップ率が予め設定されたドロップ閾値を超えるか否かを判断し、超えると、基地局が受信したブロードバンド受信電力及びナローバンド受信電力を検出し、
ナローバンド受信電力の値が予め設定されたナローバンド受信電力閾値を超える条件と、
ブロードバンド受信電力の値が予め設定されたブロードバンド受信電力閾値を超える条件とのいずれかの予め設定された条件を満たす際に、前記基地局のアンテナの下傾角走査機能を起動する。
【００３０】
前記ＲＲＣユーザのドロップ閾値はオペレータの所定値に基づき設定され、例えば５％であり、前記ナローバンド受信電力閾値及びブロードバンド受信電力閾値は、例えば、ＲＲＣユーザのドロップ率が５％である際の、基地局が受信したナローバンド受信電力及びブロードバンド受信電力の値であってもよい。
【００３１】
基地局のアンテナは、電子同調可能なアンテナ、ＡＡＳアンテナ又はスマートアンテナであってもよい。
【００３２】
Ｓ１０２： 前記ブロードバンド受信電力及びナローバンド受信電力の値がアンテナの下傾角度に伴って変化する関係、及び基地局のダウンリンク送信チャネルを閉じた後に、前記ブロードバンド受信電力及びナローバンド受信電力の値が変化するか否かに基づき、干渉源を確定する。
【００３３】
ステップＳ１０２は、ステップＳ１０２ａ〜Ｓ１０２ｃを含む。
Ｓ１０２ａ： 前記ブロードバンド受信電力及びナローバンド受信電力の値がアンテナの下傾角度の変化に伴って変化するか否かを判断し、アンテナの下傾角度に伴って変化しないと、ステップＳ１０２ｂを実行し、アンテナの下傾角度に伴って変化すると、ステップＳ１０２ｃを実行する。
Ｓ１０２ｂ： アンテナの下傾角度に伴って変化しなく、且つ基地局のダウンリンク送信チャネルを閉じた後に、前記ブロードバンド受信電力の値及びナローバンド受信電力の値がいずれも減少し、且つ干渉信号が消失すると、干渉が基地局内部からのものであることを確定する。
前記干渉が基地局内部からのものであることを確定した後に、前記方法は、基地局内部の干渉源を確定するステップを更に含む。
帯域幅全体内と有用な信号帯域内に入る相互変調積の相互変調周波数を計算し、
前記基地局のダウンリンク周波数を、有用な信号帯域のダウンリンク帯域の上、下境界の２つの周波数をＦ１及びＦ２として設定し、前記基地局の送信電力の大きさを、前記基地局の定格電力の半分として設定し、前記基地局のアップリンク周波数を、前記相互変調周波数として設定する。
前記基地局が受信した前記ブロードバンド受信電力の値が予め設定されたブロードバンド受信電力閾値を超えるか否か、及び/又は前記ナローバンド受信電力の値が予め設定されたナローバンド受信電力閾値を超えるか否かを改めて判断し、超えると、干渉が基地局のアンテナ給電システムの接続不良によって発生することを確定し、アンテナ給電を再接続する必要がある。
【００３４】
相互変調干渉は、信号が非線形装置を通過した産物である。接続不良のアンテナ給電システムは非線形装置に相当し、複数の異なる周波数の信号が同時に、接続が悪いアンテナ給電システム（非線形装置）を介して伝送される際に、非線形変換を経て、数多くの新しい周波数成分（入力周波数のいくつかの線形結合）を生成することになり、これらの周波数成分は相互変調積と呼ばれる。
【００３５】
前記帯域幅全体内と有用な信号帯域内に入る相互変調積の相互変調周波数を計算することは、
周波数ｆ＝ｍ＊Ｆ１±ｎ＊Ｆ２、を計算し、ｆが有用な信号帯域のアップリンク帯域或いは帯域幅全体の帯域内に入るか否かを判断し、前記有用な信号帯域のアップリンク帯域或いは帯域幅全体の帯域内に入ると、対応する帯域に入る周波数を相互変調周波数として記録することを含む。
本実施例において、対応する帯域に入る周波数は１つ又は複数であることを含み、前記有用な信号帯域内のダウンリンク帯域はＦ１〜Ｆ２であり、アップリンク帯域はＦ３〜Ｆ４であり、前記帯域幅全体の帯域はＦ５〜Ｆ６であり、Ｆ１、Ｆ２、Ｆ３、Ｆ４、Ｆ５、Ｆ６は対応する帯域の上、下境界の周波数であり、ｍ、ｎの取る値は０〜７の整数であり、且つｍ及びｎは同時に０であることができない。
【００３６】
ＬＴＥ/ＵＭＴＳ（Universal Mobile Telecommunications System）はブロードバンドシステムであり、ダウンリンク周波数は送信周波数を指し、周波数範囲はＦ１〜Ｆ２であり、同様に、アップリンク周波数は受信周波数を指し、一般的にナローバンド受信周波数を指し、周波数範囲はＦ３〜Ｆ４であり、また、ブロードバンド受信周波数の周波数範囲は帯域幅全体の周波数帯域Ｆ５〜Ｆ６である。
Ｓ１０２ｃ： アンテナの下傾角度に伴って変化し、且つ基地局のダウンリンク送信チャネルを閉じた後に、ブロードバンド受信電力及びナローバンド受信電力の値がいずれも変化しないと、干渉が外部からのものであることを確定する。
【００３７】
なお、前記干渉が外部からのものであることを確定した後に、干渉源を確定するステップを更に含む。
前記ブロードバンド受信電力及びナローバンド受信電力の値がアンテナの下傾角度に伴って変化し、且つ基地局のダウンリンク送信チャネルを閉じた後に、前記ブロードバンド受信電力及びナローバンド受信電力の値がいずれも変化しないことを判断した際に、基地局のダウンリンク送信チャネルを閉じる際に、干渉信号が消失するか否かを判断し、消失すると、前記干渉源はマイクロ信号ブースタであることを確定する。
前記干渉源がマイクロ信号ブースタであることを確定した後に、ステップＳ１０１に記録した最大ブロードバンド受信電力の値及び最大ナローバンド受信電力の値に対応する下傾角度を前記マイクロ信号ブースタの方位角とすることができる。なお、前記干渉源がマイクロ信号ブースタであることを確定して、基地局の受信周波数はマイクロ信号ブースタの干渉周波数と一致し、最大ブロードバンド受信電力の値及び最大ナローバンド受信電力の値の両者は同様であるため、両者に対応する下傾角度は不一致の状況が発生しない。
【００３８】
なお、好ましい形態として、前記干渉源がマイクロ信号ブースタであることを確定した後に、前記方法は、干渉源の位置を確定するステップを更に含む。
干渉源の送信電力及び前記基地局が受信したブロードバンド受信電力を取得し、 
外部固定干渉の空間減衰ＬＲ＝前記外部固定干渉源の送信電力−前記基地局が受信したブロードバンド受信電力、を計算し、
チャネル伝送モデル式（即ち、空間減衰と距離の非線形関係式）に基づき、前記干渉源と前記基地局との間の距離を求める。
【００３９】
チャネル伝送モデル式は、異なる伝送モデルでの計算式に対してわずかに異なり、無線通信原理書籍を参照して検索することができ、本実施例において例を挙げ、以下に説明する。
ＲＬ＝Ｃ＋Ｘ*ｌｇ(Ｆ)ＭＨｚ＋Ｘ＊ｌｇ(Ｒ)ｋｍ、Ｃは空間自由伝送モデルでの定数３２.４であり、Ｘも空間自由伝送モデルでの係数でもあり、Ｆは現在のアップリンク周波数であり、Ｆ＝（Ｆ１＋Ｆ２）/２、Ｒは前記外部干渉源と前記基地局との間の距離であり、マイクロ信号ブースタを追跡する送信電力が１０ミリワットであることを例として、ＲＬ＝マイクロ信号ブースタの送信電力−ＲＲＵの受信電力、に基づき、 ＲＬの値を算出して、再びＲＬの距離式に基づき前記干渉源と前記基地局との間の距離を推算することができる。
【００４０】
なお、他の好ましい形態として、前記干渉源が基地局外部（マイクロ信号ブースタではない）にあることを確定した後に、前記アンテナの下傾角走査機能を閉じることを含み、前記方法は、外部干渉源の方位を確定するステップを更に含む。
位相ロックループ（phase-locked loop、ＰＬＬと略称）の設定周波数を有用な信号帯域のアップリンク帯域（Ｆ３〜Ｆ４）内に設定し、前記基地局の帯域幅（Ｆ５〜Ｆ６）全体内で走査し、且つ前記基地局が受信したブロードバンド受信電力及びナローバンド受信電力の値を記録し、最大ブロードバンド受信電力の値及び最大ナローバンド受信電力の値に対応する周波数を前記外部固定干渉の周波数として、前記基地局のアップリンク周波数を外部固定干渉の周波数として設定し、同時に再び前記アンテナの下傾角走査機能を起動し、前記アンテナの下傾角度を調整して走査し、且つ対応する下傾角度で基地局が受信したブロードバンド受信電力及びナローバンド受信電力の値を記録し、記録した最大ブロードバンド受信電力の値及び最大ナローバンド受信電力の値に対応する下傾角度を前記外部固定干渉源の方位角とする。
【００４１】
アンテナの下傾角度を調整して走査し、例えば０度からＸ度まで走査し、Ｘ度は前記アンテナの最大調整角度である。また、基地局の受信周波数を外部干渉周波数として設定する場合に、最大ブロードバンド受信電力の値及び最大ナローバンド受信電力の値の両者は同様であるため、両者が対応する下傾角度は不一致の状況が発生しない。
【００４２】
なお、他の好ましい形態として、該基地局がスマートアンテナをサポートすれば、スマートアンテナの水平面及び垂直面の走査によって外部固定干渉源（例えばマイクロ信号ブースタ）の正確な位置を正確に取得することができる。前記最大ブロードバンド受信電力の値及び最大ナローバンド受信電力の値に対応する角度が前記外部固定干渉源（マイクロ信号ブースタも含む）の方位角であることを確定した後に、
前記スマートアンテナの水平面カバレッジセクターの走査機能を起動して、−Ｙ度から＋Ｙ度まで走査し、且つ前記スマートアンテナの水平面の１度毎のブロードバンド受信電力及びナローバンド受信電力の値を記録し、前記スマートアンテナの水平面の１度毎の最大ブロードバンド受信電力の値及び最大ナローバンド受信電力の値に対応する角度に基づき、前記外部固定干渉源の位置を確定し、Ｙは前記外部固定干渉源の方位角であることを更に含む。
【００４３】
一適用例で、図３に示すように、本実施例は、マイクロ信号ブースタ干渉の位置を位置決めする方法を提供し、以下のステップを含む。
Ｓ２０１： 基地局は受信したナローバンド受信電力（ネットワーク管理のバックグラウンド設定の帯域幅内の受信電力）、ブロードバンド受信電力（中間周波数帯域全体内の電力）及び従来のＲＲＣユーザのドロップ率を統計し、ＲＲＵユーザのドロップ率が１００分の５（或いはオペレータの所定値）に達した、ナローバンド受信電力の値及びブロードバンド受信電力の値を記録して、且つこの２つの値をナローバンド受信電力及びブロードバンド受信電力の判定閾値とする。
Ｓ２０２： ドロップ率が１００分の５を超えて、且つナローバンド受信電力の値又はブロードバンド受信電力の値がステップＳ２０１で予め設定された判定閾値を超える際に、電子同調可能なアンテナ/ＡＡＳアンテナ/スマートアンテナの下傾角走査機能を起動し、０度からＸ度まで走査し、且つアンテナの下傾角度の１度毎のブロードバンド受信電力及びナローバンド受信電力の値を記録する。
Ｓ２０３： 前記ブロードバンド受信電力及びナローバンド受信電力の値がアンテナの下傾角度に伴って変化し、且つ基地局のダウンリンク送信チャネルを閉じて、ブロードバンド受信電力及びナローバンド受信電力の値がいずれも変化しないと、干渉が外部固定干渉であることを判断でき、受信した電力値がアンテナの下傾角度に伴って変化し、且つＲＲＵダウンリンク送信チャネルを閉じる際に、干渉信号が消失すると、これらの干渉信号はマイクロ信号ブースタからの干渉である可能性がある。
Ｓ２０４： マイクロ信号ブースタの方位角を確定する。
ステップＳ２０２で記録した最大ブロードバンド受信電力の値及び最大ナローバンド受信電力の値に対応する下傾角度を、マイクロ信号ブースタの方位角とする。
【００４４】
Ｓ２０５： マイクロ信号ブースタの基地局からの距離を確定する。
例えば、マイクロ信号ブースタを追跡する送信電力が１０ミリワットであり、且つＲＲＵの受信電力を取得し、空間減衰ＲＬを計算して、ＲＬ＝Ｃ＋Ｘ＊ｌｇ(Ｆ)ＭＨｚ＋Ｘ＊ｌｇ(Ｒ)ｋｍ、に基づき、Ｒの値を推算し、ＲＬ＝マイクロ信号ブースタ送信電力−ＲＲＵ受信電力、であり、Ｒは外部固定干渉源と基地局との間の距離である。
【００４５】
Ｓ２０６： 該基地局がスマートアンテナをサポートすれば、スマートアンテナの水平面及び垂直面の走査によって、マイクロ信号ブースタの正確な位置を正確に取得することができる。
前記最大ブロードバンド受信電力の値及び最大ナローバンド受信電力の値に対応する角度が前記外部固定干渉源の方位角であることを確定した後に、
前記スマートアンテナの水平面カバレッジセクターの走査を起動して、−Ｙ度から＋Ｙ度まで走査し、且つ前記スマートアンテナの水平面の１度毎のブロードバンド受信電力及びナローバンド受信電力の値を記録し、前記スマートアンテナの水平面の１度毎の最大ブロードバンド受信電力の値及び最大ナローバンド受信電力の値に対応する角度に基づき、前記外部固定干渉源の位置を確定し、Ｙは前記外部固定干渉源の方位角であることを更に含む。
【００４６】
一適用例で、図４に示すように、本実施例は、外部固定干渉の位置を位置決めする方法を提供し、以下のステップを含む。
ステップＳ３０１〜Ｓ３０２は、ステップＳ２０１〜Ｓ２０２と同様である。
Ｓ３０３： 前記ブロードバンド受信電力及びナローバンド受信電力の値がアンテナの下傾角度に伴って変化し、且つ基地局のダウンリンク送信チャネルを閉じて、ブロードバンド受信電力及びナローバンド受信電力の値がいずれも変化しないと、干渉が外部固定干渉であることを判断することができ、受信した電力値がアンテナの下傾角度に伴って変化し、且つＲＲＵダウンリンク送信チャネルを閉じる際に、干渉信号が消失しないと、これらの干渉信号は外部固定干渉源からのものである可能性があり、アンテナの下傾角走査機能を閉じる。
Ｓ３０４： 外部固定干渉の干渉周波数及び方位角を確定する。
具体的に、ＰＬＬの設定周波数がＦ３〜Ｆ４の範囲内にあることへ変更し、基地局の帯域幅全体内で走査し、且つ受信した電力対（ブロードバンド受信電力及びナローバンド受信電力）を記録し、最大受信電力対（最大ブロードバンド受信電力の値及び最大ナローバンド受信電力の値）に対応する周波数は外部固定干渉の周波数であり、基地局のアップリンク周波数を該外部固定干渉の周波数として設定し、同時に再び電子同調可能なアンテナ/ＡＡＳアンテナ/スマートアンテナの下傾角走査機能を起動し、０度からＸ度まで走査し、且つアンテナの下傾角度の１度毎のブロードバンド受信電力及び/又はナローバンド受信電力の値を記録し、最大ブロードバンド受信電力の値及び最大ナローバンド受信電力の値に対応する下傾角度が前記外部固定干渉源の方位角であることを確定することを含む。このよう・BR>ノして、干渉周波数及び干渉周波数に対応する方位角を取得する。
【００４７】
Ｘ度は、アンテナの最大調整角度である。
【００４８】
Ｓ３０５： 該基地局がスマートアンテナをサポートすれば、スマートアンテナの水平面及び垂直面の走査によって、外部固定干渉源の正確な位置を正確に取得することができる。
前記最大ブロードバンド受信電力の値及び最大ナローバンド受信電力の値に対応する下傾角度が前記外部固定干渉源の方位角であることを確定した後に、
前記スマートアンテナの水平面カバレッジセクターの走査を起動して、−Ｙ度から＋Ｙ度まで走査し、且つ前記スマートアンテナの水平面の１度毎のブロードバンド受信電力及びナローバンド受信電力の値を記録し、前記スマートアンテナの水平面の１度毎の最大ブロードバンド受信電力の値及び最大ナローバンド受信電力の値に対応する角度に基づき、前記外部固定干渉源の位置を確定し、Ｙは前記外部固定干渉源の方位角であることを更に含む。
【００４９】
他の適用例で、図５に示すように、本実施例は、基地局の内部干渉を位置決めし、基地局外部アンテナ給電システム受動相互変調の大小を判断する流れを提供し、以下のステップを含む。
ステップＳ４０１〜Ｓ４０２は、ステップＳ３０１〜Ｓ３０２と同様である。
Ｓ４０３： 受信したブロードバンド受信電力及びナローバンド受信電力の値がアンテナの下傾角度に伴って変化しなく、且つ基地局のダウンリンク送信チャネルを閉じて、ブロードバンド受信電力及びナローバンド受信電力の値がいずれも減少し、干渉信号が消失すれば、干渉が基地局内部からのものであり、基地局アンテナ給電システムの接続不良による受動相互変調が高すぎる可能性があることを説明する。
Ｓ４０４： ネットワーク管理の設定のアップダウンリンク周波数に基づき、帯域幅全体内と有用な信号帯域内に入る相互変調積の相互変調周波数を計算する。
ダウンリンク周波数は、送信周波数を指し、周波数範囲はＦ１〜Ｆ２であり、同様に、アップリンク周波数は、受信周波数を指し、一般的にナローバンド受信周波数を指し、周波数範囲はＦ３〜Ｆ４であり、また、ブロードバンド受信周波数の周波数範囲は、帯域幅全体の周波数帯域Ｆ５〜Ｆ６であり、Ｆ１、Ｆ２、Ｆ３、Ｆ４、Ｆ５、Ｆ６は、対応する帯域の上、下境界の周波数である。
【００５０】
周波数ｆ＝ｍ＊Ｆ１±ｎ＊Ｆ２、を計算し、ｆが有用な信号帯域のアップリンク帯域或いは帯域幅全体の帯域内に入るか否かを判断し、前記有用な信号帯域のアップリンク帯域或いは帯域幅全体の帯域内に入ると、対応する帯域に入る周波数を相互変調周波数として記録する。
ネットワーク管理の設定の有用な信号帯域のダウンリンク帯域はＦ１〜Ｆ２であり、アップリンク帯域はＦ３〜Ｆ４であり、前記帯域幅全体の帯域はＦ５〜Ｆ６であり、Ｆ１、Ｆ２、Ｆ３、Ｆ４、Ｆ５、Ｆ６は、対応する帯域の上、下境界の周波数であり、ｍ、ｎの取る値は０〜７の整数であり、且つｍ及びｎは同時に０であることができない。
【００５１】
Ｓ４０５： 基地局のダウンリンク周波数（即ち送信周波数）を有用な信号帯域ダウンリンク帯域の上、下境界の２つの周波数、即ちＦ１及びＦ２として設定し、送信電力の大きさは基地局定格電力の半分として設定し、アップリンク周波数（受信周波数）を、ステップＳ４０４で計算して得られた相互変調周波数ｆとして設定する。
Ｓ４０６： 基地局が受信したナローバンド受信電力及びブロードバンド受信電力を検出して、前記基地局が受信した前記ブロードバンド受信電力の値が予め設定されたブロードバンド受信電力閾値を超えるか否か、及び/又は前記ナローバンド受信電力の値が予め設定されたナローバンド受信電力閾値を超えるか否かを判断し、超えると、該基地局内部からの干渉は、アンテナ給電システムの接続不良によるものであることを確定でき、アンテナ給電を再接続する必要がある。
【００５２】
図６に示すように、本実施例は、基地局干渉を位置決めするシステムを提供し、
基地局のアンテナの下傾角走査機能を起動して、前記アンテナの下傾角度を調整して走査し、且つ対応する下傾角度で基地局が受信したブロードバンド受信電力及びナローバンド受信電力の値を記録するように設定されるアンテナ制御モジュールと、
前記ブロードバンド受信電力及びナローバンド受信電力の値がアンテナの下傾角度に伴って変化する関係、及び基地局のダウンリンク送信チャネルを閉じた後に、前記ブロードバンド受信電力及びナローバンド受信電力の値が変化するか否かに基づき、干渉源を確定するように設定される干渉判定モジュールと、を備える。
【００５３】
前記干渉判定モジュールは、以下のように、前記ブロードバンド受信電力及びナローバンド受信電力の値がアンテナの下傾角度に伴って変化する関係、及び基地局のダウンリンク送信チャネルを閉じた後に、前記ブロードバンド受信電力及びナローバンド受信電力の値が変化するか否かに基づき、干渉源を確定する。
前記ブロードバンド受信電力及びナローバンド受信電力の値がアンテナの下傾角度に伴って変化するか否かを判断し、アンテナの下傾角度に伴って変化しなく、且つ基地局のダウンリンク送信チャネルを閉じた後に、前記ブロードバンド受信電力及びナローバンド受信電力の値がいずれも減少し、且つ干渉信号が消失すると、干渉源が基地局内部にあることを確定し、アンテナの下傾角度に伴って変化し、且つ基地局のダウンリンク送信チャネルを閉じた後に、前記ブロードバンド受信電力及びナローバンド受信電力の値がいずれも変化しないと、干渉源が基地局外部にあることを確定するように設定される。
【００５４】
本システムは、
前記基地局のアンテナの下傾角走査機能を起動する前に、無線リソース制御プロトコルＲＲＣユーザのドロップ率が予め設定されたドロップ閾値を超えるか否かを判断し、超えると、基地局が受信したブロードバンド受信電力及びナローバンド受信電力を検出するように設定される受信電力検出モジュールを更に備え、
前記アンテナ制御モジュールは更に、
ナローバンド受信電力の値が予め設定されたナローバンド受信電力閾値を超える条件と、
ブロードバンド受信電力の値が予め設定されたブロードバンド受信電力閾値を超える条件とからなる予め設定された条件のいずれかを満たす際に、前記基地局のアンテナの下傾角走査機能を起動するように設定される。
【００５５】
前記干渉判定モジュールは更に、前記干渉が基地局内部からのものであることを確定した後に、基地局の内部干渉源を確定することは、
帯域幅全体内と有用な信号帯域内に入る相互変調積の相互変調周波数を計算すること、
前記基地局のダウンリンク周波数を有用な信号帯域ダウンリンク帯域の上、下境界の２つの周波数として設定し、前記基地局の送信電力の大きさを前記基地局定格電力の半分として設定し、前記基地局のアップリンク周波数を前記相互変調周波数として設定すること、及び
前記基地局が受信した前記ブロードバンド受信電力の値が予め設定されたブロードバンド受信電力閾値を超えるか否か、及び/又は前記ナローバンド受信電力の値が予め設定されたナローバンド受信電力閾値を超えるか否かを改めて判断し、超えると、干渉が基地局のアンテナ給電システムの接続不良によるものであることを確定することを含むように設定される。
【００５６】
前記干渉判定モジュールは更に、帯域幅全体内と有用な信号帯域内に入る相互変調積の相互変調周波数を計算することは、
周波数ｆ＝ｍ＊Ｆ１±ｎ＊Ｆ２、を計算し、ｆが有用な信号帯域のアップリンク帯域或いは帯域幅全体の帯域内に入るか否かを判断し、前記有用な信号帯域のアップリンク帯域或いは帯域幅全体の帯域内に入ると、対応する帯域に入る周波数を相互変調周波数として記録し、
Ｆ１〜Ｆ２は前記有用な信号帯域のダウンリンク帯域の上、下境界の周波数であり、ｍ、ｎの取る値は０〜７の整数であり、且つｍ及びｎは同時に０であることができないことを含むように設定される。
【００５７】
なお、前記干渉判定モジュールは更に、干渉が外部固定干渉源からのものであることを確定した後に、基地局の外部固定干渉源を確定することは、
前記ブロードバンド受信電力及びナローバンド受信電力の値がアンテナの下傾角度に伴って変化し、且つ基地局のダウンリンク送信チャネルを閉じた後に、前記ブロードバンド受信電力及びナローバンド受信電力の値がいずれも変化しないことを判断した際に、更に基地局のダウンリンク送信チャネルを閉じる際に、干渉信号が消失するか否かを判断し、消失すると、前記外部固定干渉がマイクロ信号ブースタからの干渉であることを確定することを含むように設定される。
【００５８】
好ましい形態として、本実施例のシステムは、前記干渉判定モジュールに接続される干渉方位確定モジュールを更に備え、前記干渉方位確定モジュールは、マイクロ信号ブースタの方位角を確定するように設定され、
前記干渉方位確定モジュールは、記録した最大ブロードバンド受信電力の値及び最大ナローバンド受信電力の値に対応する下傾角度を、マイクロ信号ブースタの方位角として記録するように設定される。
【００５９】
なお、好ましい形態として、外部干渉がマイクロ信号ブースタからのものであることを例として、前記干渉方位確定モジュールは、外部固定干渉源の位置を確定することに用いられ、
外部固定干渉源の送信電力及び前記基地局が受信したブロードバンド受信電力を取得すること、
外部固定干渉源の空間減衰ＲＬ＝前記外部固定干渉源の送信電力−前記基地局が受信したブロードバンド受信電力、を計算すること、及び
チャネル伝送モデル式に基づき、前記外部固定干渉源と前記基地局との間の距離を求めることを含む。
【００６０】
他の好ましい形態として、前記干渉判定モジュールは更に、前記干渉が外部固定干渉源からのものであることを確定した後に、前記アンテナ制御モジュールに前記アンテナの下傾角走査機能を閉じる指令を送信するように設定される。
前記干渉方位確定モジュールは、位相ロックループＰＬＬの設定周波数を有用な信号帯域のアップリンク帯域内に設定し、前記基地局の帯域幅全体内で走査して、且つ前記基地局が受信したブロードバンド受信電力及びナローバンド受信電力の値を記録し、最大ブロードバンド受信電力の値及び最大ナローバンド受信電力の値に対応する周波数を前記外部固定干渉の周波数として、前記基地局のアップリンク周波数を外部固定干渉の周波数として設定し、同時に再び前記アンテナ制御モジュールをトリガーして前記アンテナの下傾角走査機能を起動し、記録した最大ブロードバンド受信電力の値及び最大ナローバンド受信電力の値に対応する下傾角度を前記外部固定干渉源の方位角とするように設定される。
前記アンテナ制御モジュールは更に、前記干渉判定モジュールの指令を受信した後に前記アンテナの下傾角走査機能を閉じて、前記干渉方位確定モジュールのトリガーで再び基地局のアンテナの下傾角走査機能を起動して、前記アンテナの下傾角度を調整して走査し、且つ対応する下傾角度で基地局が受信したブロードバンド受信電力及びナローバンド受信電力の値を記録するように設定される。
【００６１】
なお、他の好ましい形態として、該基地局がスマートアンテナをサポートすれば、スマートアンテナの水平面及び垂直面の走査によって、外部固定干渉（その中にマイクロ信号ブースタも含まれる）の正確な位置を正確的に取得できる。
【００６２】
前記干渉方位確定モジュールは更に、前記最大ブロードバンド受信電力の値及び最大ナローバンド受信電力の値に対応する角度が前記外部固定干渉源の方位角であることを確定した後に、前記スマートアンテナの水平面カバレッジセクターの走査機能を起動して、−Ｙ度から＋Ｙ度まで走査し、且つ前記スマートアンテナの水平面の１度毎のブロードバンド受信電力及びナローバンド受信電力の値を記録し、前記スマートアンテナ水平面の１度毎の最大ブロードバンド受信電力の値及び最大ナローバンド受信電力の値に対応する角度に基づき、前記外部固定干渉源の位置を確定し、Ｙは前記外部固定干渉源の方位角であるように設定される。
【００６３】
当業者は、上記実施例の全部又は一部のステップを、コンピュータプログラムプロセスで実現することができ、前記コンピュータプログラムは、コンピュータ可読記憶媒体に記憶されることができ、前記コンピュータプログラムは、対応するハードウェアプラットフォーム（例えばシステム、機器、装置、デバイス等）で実行し、実行する際、方法の実施例のステップの１つ又はその組み合わせを含むことを理解することができる。
【００６４】
選択可能に、上記実施例の全部又は一部のステップは集積回路を使用して実現することもでき、これらのステップをそれぞれ一つ一つの集積回路モジュールで製造するか、又はそれらの中の複数のモジュール又はステップを単一の集積回路モジュールで製造して実現することができる。このように、本発明は任意の特定のハードウェアとソフトウェアの組合せに限定されない。
【００６５】
上記実施例における各装置/機能モジュール/機能ユニットは、汎用の計算装置を採用して実現することができ、それらは単一の計算装置に集積されてもよいし、複数の計算装置からなるネットワークに分布されてもよい。
【００６６】
上記実施例における各装置/機能モジュール/機能ユニットは、ソフトウェア機能モジュールで実現するとともに独立な製品として販売又は使用される場合、１つのコンピュータ読み取り可能な記憶媒体に記憶することができる。上記のコンピュータ読み取り可能な記憶媒体は、読み取り専用メモリ、磁気ディスク又はＣＤ等であってもよい。
【産業上の利用可能性】
【００６７】
上記の実施例による基地局干渉を位置決めする方法及びシステムは、従来の通信基地局が干渉されて基地局が正常に動作できない問題に対して、干渉のタイプ及び干渉源の発生原因を判断して、干渉源を迅速に位置決め、干渉を低減又は解除して、既存ネットワーク性能を向上させることができ、それによりオペレータの利益を維持する。
【図１】
0006475841.tif 000002
【図２】
0006475841.tif 000003
【図３】
0006475841.tif 000004
【図４】
0006475841.tif 000005
【図５】
0006475841.tif 000006
【図６】
0006475841.tif 000007